(57)【要約】【課題】ヘッドホンをかけているため前席から話しかけても聞こえない後部座席搭乗者に、メッセージを効果的に伝えることが可能な車載システムおよび車両用ナビゲーション装置を提供する。【解決手段】車両の後部座席から視認可能に車室内に搭載され、映画などのコンテンツ情報を放映する後席表示手段と、音声を出力する後席ヘッドホンとを備える。また、車両の運転者または前部座席搭乗者から後部座席搭乗者へ伝えるメッセージ情報を記憶するメッセージ記憶手段と、車両の運転席付近に配置された操作入力手段とを備える。さらに、コンテンツ情報を放映中の後席表示手段と、音声出力中である後席ヘッドホンとの少なくとも一方へ、メッセージ情報を割込み出力させる割込制御手段を備える。【選択図】図１
2006151065.tif 000002
【特許請求の範囲】
【請求項１】
車両の後部座席から視認可能に車室内に搭載され、映画などのコンテンツ情報を放映する後席表示手段と、
音声を出力する音声出力手段と、
前記車両の運転者または前部座席搭乗者から後部座席搭乗者へ伝えるメッセージ情報を記憶するメッセージ記憶手段と、
前記車両の運転席付近に配置された操作入力手段と、
前記コンテンツ情報を放映中の前記後席表示手段と、音声出力中である前記音声出力手段との少なくとも一方へ前記メッセージ情報を出力させる操作命令が前記操作入力手段から入力された場合に、そのメッセージ情報を割込み出力させる割込制御手段と、
を備えたことを特徴とする車載システム。
【請求項２】
前記音声出力手段は、前記後部座席から使用可能な位置に配置された後席ヘッドホンである請求項１記載の車載システム。
【請求項３】
車両の後部座席から視認可能に車室内に搭載されたリアシートエンタテイメント装置と、車両用ナビゲーション装置とを含む車載システムにおいて、
前記リアシートエンタテイメント装置は、映画などのコンテンツ情報を放映する後席表示手段と、音声を出力する後席ヘッドホンとを備え、
前記車両用ナビゲーション装置は、
地図情報の表示手段と、画面への接触操作を感知して前記リアシートエンタテイメント装置または前記車両用ナビゲーション装置への操作命令を入力する操作入力手段とを備えたタッチパネルと、
前記車両の運転者または前部座席搭乗者から後部座席搭乗者へ伝えるメッセージ情報を記憶するメッセージ記憶手段と、
前記コンテンツ情報を放映中の前記後席表示手段と、音声出力中である前記後席ヘッドホンとの少なくとも一方へ前記メッセージ情報を出力させる操作命令が前記操作入力手段から入力された場合に、そのメッセージ情報を割込み出力させる割込制御手段と、
を備えたことを特徴とする車載システム。
【請求項４】
前記メッセージ情報は、前記後席表示手段へ表示させるメッセージ画像情報と、前記後席ヘッドホンへ出力させるメッセージ音声情報との、いずれか一方の情報形態を含むものとして記憶されている請求項２または３に記載の車載システム。
【請求項５】
前記メッセージ情報を編集するメッセージ編集手段をさらに備えた請求項１または３記載の車載システム。
【請求項６】
電子地図上で車両の現在位置を表示して車両を案内する車両用ナビゲーション装置において、
運転者または前部座席搭乗者から後部座席搭乗者へ伝えるメッセージ情報を記憶するメッセージ記憶手段と、
前記車両の運転席付近に配置された操作入力手段と、
前記後部座席搭乗者が、後部座席に搭載された後部表示手段および後席ヘッドホンを用いて映画や音楽などを視聴している時に、前記メッセージ情報を伝える操作命令が前記操作入力手段から入力された場合に、そのメッセージ情報を前記後席表示手段および前記後席ヘッドホンの少なくとも一方へ割込み出力させる割込制御手段と、
を備えたことを特徴とする車両用ナビゲーション装置。
【発明の詳細な説明】
【技術分野】
【０００１】
本発明は、車両用ナビゲーション装置及び車載システムに関するものである。
【背景技術】
【０００２】
近年、リアシートエンタテイメントシステム（以下、ＲＳＥとも記す）が普及している。これは車両の後部座席にモニターなどを配備して、同乗者が映画やＴＶ番組などを視聴できるようにしたものである（例えば下記特許文献１）。音声が騒音となって運転者の邪魔にならないように、一般にヘッドホンが用いられる。
【特許文献１】特開２００３−１５４９００号公報
【０００３】
ところが従来のＲＳＥでは、後部座席搭乗者はヘッドホンを使用し、かつ画面に夢中になっているために、運転者が後部座席搭乗者に話しかけても聞こえない場合があった。そのため、例えば“次のサービスエリアで休みたい”とか、“到着時刻が送れそうだ”といった連絡を伝えたくても伝えられない問題があった。
【発明の開示】
【発明が解決しようとする課題】
【０００４】
本発明は上述のような事情を背景になされたもので、特に、ヘッドホンをかけているため前席から話しかけても聞こえない後部座席搭乗者に、メッセージを効果的に伝えることが可能な車載システムおよび車両用ナビゲーション装置を提供することを課題とする。
【課題を解決するための手段および発明の効果】
【０００５】
上記課題を解決するために本発明の車載システムは、
車両の後部座席から視認可能に車室内に搭載され、映画などのコンテンツ情報を放映する後席表示手段と、
音声を出力する音声出力手段と、
前記車両の運転者または前部座席搭乗者から後部座席搭乗者へ伝えるメッセージ情報を記憶するメッセージ記憶手段と、
前記車両の運転席付近に配置された操作入力手段と、
前記コンテンツ情報を放映中の前記後席表示手段と、音声出力中である前記音声出力手段との少なくとも一方へ前記メッセージ情報を出力させる操作命令が前記操作入力手段から入力された場合に、そのメッセージ情報を割込み出力させる割込制御手段と、
を備えたことを主要な特徴とする。
【０００６】
上記本発明によれば、車両の後部座席から視聴できる位置に後席表示手段および音声出力手段が備えられている。この音声出力手段は、特には、後部座席に配置されたヘッドホン（後席ヘッドホン）とされる。車両には、例えばＤＶＤプレーヤやＣＤプレーヤといったＡＶシステムが搭載されており、これによって再生出力された映画や音楽などのコンテンツ情報が、後席表示手段から放映されたり、後席ヘッドホンから音声出力されたりする。後部座席搭乗者はこれを視聴して楽しむことができる。
【０００７】
一方、本発明には、運転者や前席搭乗者からのメッセージ情報を記憶するメッセージ記憶手段が備えられる。メッセージ情報とは、例えば「次のサービスエリアで休憩します」とか、「ヘッドホンを外して下さい」といったものである。このようなメッセージ情報は画像情報または音声情報として記憶されており、後述するメッセージ編集手段を用いて編集することができるものである。
【０００８】
また、運転席付近には操作入力手段が設置され、運転者または前部座席搭乗者が操作命令を入力できる構成とされている。操作入力手段としては、例えばタッチパネルやメカニカルなスイッチ群を採用できる。さらに本発明は、ＲＳＥへ割込み出力するための割込制御手段を備えている。後部座席搭乗者へメッセージ情報を伝える操作命令が操作入力手段から入力されると、コンテンツ情報を放映中の後席表示手段および後席ヘッドホンの少なくとも一方へ、メッセージ情報が割込み出力される。すなわち、操作者の意図により、メッセージ画像のみを表示させたり、メッセージ音声のみを出力させたり、またはその両方を出力させたりできる構成とされている。これにより、ヘッドホンをかけている後部座席搭乗者の注意を促すことができ、確実にメッセージを伝えることができる。
【０００９】
また、本発明の車載システムは、
車両の後部座席から視認可能に車室内に搭載されたリアシートエンタテイメント装置と、車両用ナビゲーション装置とを含む車載システムにおいて、
前記リアシートエンタテイメント装置は、映画などのコンテンツ情報を放映する後席表示手段と、音声を出力する後席ヘッドホンとを備え、
前記車両用ナビゲーション装置は、
地図情報の表示手段と、画面への接触操作を感知して前記リアシートエンタテイメント装置または前記車両用ナビゲーション装置への操作命令を入力する操作入力手段とを備えたタッチパネルと、
前記車両の運転者または前部座席搭乗者から後部座席搭乗者へ伝えるメッセージ情報を記憶するメッセージ記憶手段と、
前記コンテンツ情報を放映中の前記後席表示手段と、音声出力中である前記後席ヘッドホンとの少なくとも一方へ前記メッセージ情報を出力させる操作命令が前記操作入力手段から入力された場合に、そのメッセージ情報を割込み出力させる割込制御手段と、
を備えたことを主要な特徴とする。
【００１０】
上記本発明によると、車載システムは車両用ナビゲーション装置とＲＳＥを備えており、ナビ画面と操作入力手段が一体化したタッチパネルを用いている。このタッチパネルは、ナビゲーション装置およびＲＳＥの操作入力手段と、地図の表示手段とを備えた構成とされる。すなわち、運転者らはこのタッチパネルを用いて地図情報を確認でき、また、地図の拡大・縮小や目的地の入力などのナビ操作と、ＲＳＥの操作（メッセージ情報を後席表示手段や後席ヘッドホンへ出力させるための操作）とを行うことができる。
【００１１】
上記車載システムのうち、ＲＳＥ以外の要素を全て車両用ナビゲーション装置の一部として構成することが可能である。すなわち、本発明の車両用ナビゲーション装置は、
電子地図上で車両の現在位置を表示して車両を案内する車両用ナビゲーション装置において、
運転者または前部座席搭乗者から後部座席搭乗者へ伝えるメッセージ情報を記憶するメッセージ記憶手段と、
前記車両の運転席付近に配置された操作入力手段と、
前記後部座席搭乗者が、後部座席に搭載された後部表示手段および後席ヘッドホンを用いて映画や音楽などを視聴している時に、前記メッセージ情報を伝える操作命令が前記操作入力手段から入力された場合に、そのメッセージ情報を前記後席表示手段および前記後席ヘッドホンの少なくとも一方へ割込み出力させる割込制御手段と、
を備えたことを主要な特徴とする。
【発明を実施するための最良の形態】
【００１２】
以下、本発明を実施するための最良の形態を図面を参照しながら説明する。
まず、図１は本発明に係る車載システム１００の全体構成図を示すブロック図である。車載システム１００は車両用ナビゲーション装置２００およびリアシートエンタテイメント装置３００を含むものである。リアシートエンタテイメント装置３００は後席表示手段１６、後席ヘッドホン１７、ＡＶシステム１５を備えている。また、車両用ナビゲーション装置２００は位置検出器１，地図データ入力器６，操作入力手段７，記憶手段９，前席表示手段１０，音声入力装置（マイク）１１，音声認識制御部１２，音声出力制御部１３，音声出力装置（スピーカ）１４，これらの接続された制御回路８を備えている。
【００１３】
リアシートエンタテイメント装置３００の後席表示手段１６はカラー液晶パネルやＰＤＰなどの薄型パネルが利用される。また、ＡＶシステム１５は例えばＤＶＤプレーヤ、ＣＤプレーヤ、ゲーム機、ＴＶ受信機、ビデオデッキなどである。
【００１４】
車両用ナビゲーション装置２００の位置検出器１は、周知の地磁気センサ２，ジャイロスコープ３，距離センサ４，および衛星からの電波に基づいて車両の位置を検出するＧＰＳ受信機５を有している。これらのセンサ等２，３，４，５は各々が性質の異なる誤差を持っているため、複数のセンサにより各々補完しながら使用するように構成されている。なお、精度によっては前述したうちの一部のセンサで構成してもよく、さらに、ステアリングの回転センサや各転動輪の車輪センサ等を用いてもよい。
【００１５】
地図データ入力器６は、位置検出の精度向上のためのいわゆるマップマッチング用データ、道路の接続を表した道路データを含む各種データを入力するための装置である。記憶媒体としては、そのデータ量からＣＤ−ＲＯＭやＤＶＤを用いるのが一般的であるが、例えばメモリカード等の他の媒体を用いてもよい。
【００１６】
前席表示手段１０には位置検出器１から入力された車両の現在位置マークと、地図データ入力器６から入力された地図データと、更に地図上に表示する誘導経路等付加データとを重ねて表示することができる。この前席表示手段１０は操作入力手段７と一体化したタッチパネルとして構成してもよい。タッチパネルは周知の赤外線方式、抵抗膜方式、静電気容量方式などを用いて、画面上への接触操作を感知可能にしたものである。例えば赤外線方式を用いる場合は、画面上に縦横に微細に赤外線センサを配置しておき、指やタッチペンなどでその赤外線を遮断すると、その遮断した位置を２次元座標値（Ｘ，Ｙ）として検出する。
【００１７】
操作入力手段７は、具体的にはスイッチ群であり、タッチパネル上に表示したメニュースイッチとして構成してもよいし、それ以外のメカニカルなスイッチとしてもよい。これらの中では、やはりタッチパネルを用いるのが望ましい。その理由は、タッチパネルのみで地図情報の表示、車両用ナビゲーション装置２００の操作、ＲＳＥへのメッセージ情報の出力操作、の３つの機能を持たせることが可能だからであり、結果として、車両用ナビゲーション装置２００をコンパクトにすることが可能だからである。
【００１８】
なお、操作入力手段７の他に、音声入力装置１１および音声認識制御部１２を用いて種々の指示を入力することも可能である。すなわち、音声入力装置１１から音声を入力し、その音声信号を周知の音声認識技術により音声認識処理することによって、その結果に応じた操作コマンドに変換するのである。
【００１９】
制御回路（本発明の割込制御手段）８は通常のコンピュータとして構成されており、周知のＣＰＵ８１，ＲＯＭ８２，ＲＡＭ８３，入出力回路であるＩ／Ｏ８４およびこれらの構成を接続するバスライン８５が備えられている。ＣＰＵ８１は、記憶手段９（例えばＨＤＤ）に記憶されたナビプログラムおよびデータにより制御を行う。また、記憶手段９は本発明のメッセージ記憶手段としても使用される。後述するようにメッセージ情報は編集された後、ＣＰＵ８１の制御によって書き込み処理される。
【００２０】
次に、図２のフローチャートを用いて全体の動作説明をする。まず、後席搭乗者が例えばＤＶＤを再生することにより映画や音楽などを視聴している際（ステップＳ１）に、運転者または前席搭乗者が後席搭乗者へメッセージを送るための操作をする（ステップＳ２）。この操作をする際の操作画面を図３に示す。運転席近傍に設置された前席表示手段１０には、図３に示すように予め登録されたメッセージＭ１，Ｍ２が表示され、運転者らは選択スイッチＳを用いて、送信すべきメッセージを選択する。また、画面の下側には実行スイッチＥＳ１およびＥＳ２が表示形成されており、それぞれメッセージ画像のみ出力させる場合と、メッセージ画像および音声を出力する場合に対応している。運転者らはメッセージを選択した後、各実行キーＥＳ１，ＥＳ２を押して、メッセージの送信命令をする。
【００２１】
図２に戻る。ステップＳ２においてメッセージの送信命令がされた場合、ステップＳ３に移り、後部座席搭乗者がメッセージを受信するかどうかを確認する。これは予め後部座席搭乗者が設定できるもので、例えば後席表示手段１６をタッチパネルとしておき、そこから操作して設定するようにできる。その設定情報は、例えば車両用ナビゲーション装置２００側の記憶手段９に記憶させることもできるし、リアシートエンタテイメント装置３００内のメモリ（図示しない）に記憶させることもできる。メッセージを受信しないように予め設定してあれば、ステップＳ８へ移り、ＤＶＤの再生を継続する。また、メッセージを受信するように設定してあればステップＳ４へ移る。
【００２２】
ステップＳ４では、メッセージ音声を出力するかどうかを判断する。メッセージ音声を出力する場合はステップＳ５，Ｓ６を順に処理することとなる。つまり、ステップＳ５にて後席ヘッドホン１７の音量を低下して（音量ゼロ、すなわちミュート状態にしてもよい）、メッセージ音声を割り込み出力させるのである。ステップＳ４にて音声出力をしないと判断した場合は、ステップＳ５，Ｓ６を省略してＳ７へ進む。ステップＳ７では図５に示すように、映像を表示中の後席表示手段１６の下部にメッセージ画像Ｍを表示させる。ステップＳ７が処理された後は、ＤＶＤの再生が引き続き行われる（ステップＳ８）。なお、これらステップＳ２〜Ｓ７は本発明の制御回路８（割込制御手段）が処理することとなる。
【００２３】
以上の処理を行うことで、ヘッドホンをかけていて前席から話しかけても聞こえない後部座席搭乗者に、効果的にメッセージを伝えることが可能となる。一方、メッセージ音声のみを出力することも可能である。その操作画面の一例を図７に示す。図７の操作画面では、メッセージ表示のみを行う実行キーＥＳ１，メッセージ表示及び音声出力を行う実行キーＥＳ２，メッセージ音声のみ出力する実行キーＥＳ３の、３種類の実行キーが表示されている。ユーザは、実行キーＥＳ３を操作することにより、メッセージ音声のみ出力させる命令を入力できる。図６にフローチャートを示す。このフローチャートは図２にステップＳ６’を追加したものであり、ステップＳ６でメッセージ音声出力をした後にメッセージ画像があるかどうかを判断する。メッセージ画像がある場合はステップＳ７へ移り、無い場合はステップＳ８へ移る。これにより、メッセージ音声だけを出力させたり、メッセージ画像だけを出力させたり、またはその両方を出力させたりすることが可能となる。
【００２４】
上記メッセージ情報は編集することが可能である。その編集画面の一例を図４に示す。図に示すように、漢字変換したり修正したりするための各種編集ボタンが前席表示手段１０に表示されている。これらのボタンを利用して、メッセージＭ３を編集する。この編集画面は、記憶手段９（図１）に書き込まれた編集プログラムをＣＰＵ８１が読み出して実行したもので、編集されたメッセージは同じくＣＰＵ８１が制御して記憶手段９へ書き込む。なお、図示しないが、メッセージ音声を入力するための編集ボタンを設けてもよい。メッセージ音声は、音声入力装置１１を用いて運転者または前部座席搭乗者の声を入力するようにしてもよい。
【図面の簡単な説明】
【００２５】
【図１】本発明に係る車両システムのブロック図。
【図２】車両システムの動作を示すフローチャートである。
【図３】メッセージを送る際の操作画面の一例。
【図４】メッセージ編集画面の一例。
【図５】メッセージを受信した際の後席表示手段の画面。
【図６】図２とは別のフローチャート。
【図７】図４とは別のメッセージ編集画面。
【符号の説明】
【００２６】
１  位置検出器
７  操作入力手段
８  制御回路(割込制御手段)
９  記憶手段
１０  前席表示手段（タッチパネル）
１５  ＡＶシステム
１６  後席表示手段
１７  後席ヘッドホン
１００  車載システム
２００  車両用ナビゲーション装置
３００  リアシートエンタテイメント装置
【図１】
2006151065.tif 000003
【図２】
2006151065.tif 000004
【図３】
2006151065.tif 000005
【図４】
2006151065.tif 000006
【図５】
2006151065.tif 000007
【図６】
2006151065.tif 000008
【図７】
2006151065.tif 000009